(57)【要約】【課題】幅方向の目付ムラＲが少ない緻密化絡合不織布に由来する人工皮革用基材、及びその製造方法を提供する。【解決手段】水溶性熱可塑性ポリビニルアルコール系樹脂を一成分とする極細繊維発生型多成分系繊維からなる緻密化絡合不織布に、水系エマルジョンバインダー樹脂を含浸し、凝固した後に該水溶性熱可塑性ポリビニルアルコール系樹脂を抽出除去した人工皮革用基材であって、該緻密化絡合不織布は、下記式で表される幅方向の目付ムラＲが５％以下である人工皮革用基材。目付ムラＲ（％）＝〔最大目付（ｇ／ｍ2）−最小目付（ｇ／ｍ2）〕×１００／平均目付（ｇ／ｍ2）（式中最大目付とは、緻密化絡合不織布の幅方向に５ｃｍ間隔で長さ５０ｃｍのサンプルを採取し、目付を求めたときの最大値であり、最小目付とは同様に目付を求めたときの最小値であり、平均目付とは全サンプルの平均値である。）【選択図】なし【特許請求の範囲】
【請求項１】
水溶性熱可塑性ポリビニルアルコール系樹脂を一成分とする極細繊維発生型多成分系繊維からなる緻密化絡合不織布に、水系エマルジョンバインダー樹脂を含浸し、凝固した後に該水溶性熱可塑性ポリビニルアルコール系樹脂を抽出除去した人工皮革用基材であって、
該緻密化絡合不織布は、下記式で表される幅方向の目付ムラＲが５％以下である人工皮革用基材。
目付ムラＲ（％）＝〔最大目付（ｇ／ｍ2）−最小目付（ｇ／ｍ2）〕×１００／平均目付（ｇ／ｍ2）
（式中最大目付とは、緻密化絡合不織布の幅方向に５ｃｍ間隔で長さ５０ｃｍのサンプルを採取し、目付を求めたときの最大値であり、最小目付とは同様に目付を求めたときの最小値であり、平均目付とは全サンプルの平均値である。）
【請求項２】
下記の工程（ａ）〜（ｅ）：
（ａ）水溶性熱可塑性ポリビニルアルコール系樹脂を一成分とする極細繊維発生型多成分系繊維を繊維ウェブにする工程、
（ｂ）前記繊維ウェブを絡合処理して絡合不織布を得る工程、
（ｃ）前記絡合不織布を、両端から全幅の長さに対して５〜２０％の割合であってそれぞれが同一の幅である端部（Ａ）および端部（Ａ'）、残余の部分を中央部（Ｂ）として、Ａ／Ｂ／Ａ'の３つに区分し、
水溶性熱可塑性ポリビニルアルコール系樹脂成分の５質量％以上の水を、
前記両端部と前記中央部に付与する水の質量割合が端部（Ａ）／中央部（Ｂ）／端部（Ａ’）で２０〜３０／５０／２０〜３０、かつ端部（Ａ）／端部（Ａ’）＝１／１となるように付与し、
相対湿度７５％以上の雰囲気下で、熱処理して該不織布の面積収縮率が１５％以上となるように収縮させて、密度が０．３４ｇ／ｃｍ3以上の緻密化絡合不織布を得る工程、
（ｄ）前記緻密化絡合不織布に水系エマルジョンバインダー樹脂を含浸付与し、次いで、水系エマルジョンバインダー樹脂を凝固させて水系エマルジョンバインダー樹脂含浸不織布を得る工程、および
（ｅ）前記水系エマルジョンバインダー樹脂含浸不織布を構成する極細繊維発生型多成分系繊維から水溶性熱可塑性ポリビニルアルコール系樹脂成分を水または水溶液により抽出除去し、極細繊維発生型多成分系繊維を極細繊維束に変成させて人工皮革用基材を得る工程、
または、下記の工程（ａ）〜（ｂ）、（ｆ）および（ｄ）〜（ｅ）：
（ａ）水溶性熱可塑性ポリビニルアルコール系樹脂を一成分とする極細繊維発生型多成分系繊維を繊維ウェブにする工程、
（ｂ）前記繊維ウェブを絡合処理して絡合不織布を得る工程、
（ｆ）前記絡合不織布を幅方向に両側の端部（Ｃ）、端部（Ｃ'）、両側の中間部（Ｄ）、中間部（Ｄ'）及び中央部（Ｅ）が、それぞれＣ／Ｄ／Ｅ／Ｄ'／Ｃ'となるように５つに区分して、
中央部（Ｅ）の幅を全幅の３０〜５０％、各端部（Ｃ、Ｃ'）の幅を全幅の５〜１５％、各中間部（Ｄ、Ｄ'）の幅を全幅の１０〜３０％とし、かつ、各端部（Ｃ、Ｃ'）同士および各中間部（Ｄ、Ｄ'）同士はそれぞれ同一の幅に区分し、
水溶性熱可塑性ポリビニルアルコール系樹脂成分の５質量％以上の水を、
端部（Ｃ）／中央部（Ｅ）及び端部（Ｃ'）／中央部（Ｅ）の質量割合が４０〜６０／１００となるように付与し、
中間部（Ｄ）／中央部（Ｅ）及び中間部（Ｄ'）／中央部（Ｅ）の質量割合が７０〜９０／１００となり、かつ端部（Ｃ）／端部（Ｃ'）の質量割合及び中間部（Ｄ）／中間部（Ｄ'）の質量割合がそれぞれ１／１となるように付与し、
相対湿度７５％以上の雰囲気下で、熱処理して該不織布の面積収縮率が１５％以上となるように収縮させて、密度が０．３４ｇ／ｃｍ3以上の緻密化絡合不織布を得る工程、
（ｄ）前記緻密化絡合不織布に水系エマルジョンバインダー樹脂を含浸付与し、次いで、水系エマルジョンバインダー樹脂を凝固させて水系エマルジョンバインダー樹脂含浸不織布を得る工程、および
（ｅ）前記水系エマルジョンバインダー樹脂含浸不織布を構成する極細繊維発生型多成分系繊維から水溶性熱可塑性ポリビニルアルコール系樹脂成分を水または水溶液により抽出除去し、極細繊維発生型多成分系繊維を極細繊維束に変成させて人工皮革用基材を得る工程、
を含む人工皮革用基材の製造方法。
【請求項３】
絡合不織布が長繊維不織布である請求項２に記載の製造方法。
【請求項４】
請求項１に記載の人工皮革用基材の表面に銀面被覆層を形成して得られる銀付調人工皮革。
【請求項５】
請求項１に記載の人工皮革用基材の表面を起毛処理して得られるスエード調人工皮革。
【発明の詳細な説明】
【技術分野】
【０００１】
本発明は、水溶性熱可塑性ポリビニルアルコール系樹脂を一成分とする極細繊維発生型多成分系繊維からなる緻密な絡合不織布に由来する人工皮革用基材およびその製造方法に関する。
【背景技術】
【０００２】
近年、人工皮革は、軽さ、取り扱い易さなどの特長が消費者に認められてきており、衣料、一般資材、スポーツ分野などで幅広く利用されるようになっている。従来の一般的な人工皮革の製造方法は、概略次の通りである。すなわち、溶解性を異にする２種類の重合体からなる極細繊維発生型多成分系繊維をステープル化し、カード、クロスラッパー、ランダムウェーバー等を用いてウェブ化し、ニードルパンチ等により繊維を互いに絡ませて絡合不織布化した後、ポリウレタンで代表される高分子弾性体の溶液若しくはエマルジョン液を付与して凝固させた後に該極細繊維発生型多成分系繊維中の一成分を除去する方法、あるいは高分子弾性体の溶液またはエマルジョンを含浸・凝固させる工程と該極細繊維発生型多成分系繊維中の一成分を除去する工程を逆の順序で行う方法である。これらの方法により繊維を極細化させて柔軟な人工皮革を得ることができる。
このような人工皮革の分野において、外観、風合等の感性面と、寸法安定性等の物性面をすべて満足する高品質なものが要求されている。具体的には、外観、風合等に優れた人工皮革を得るために、上記したように、極細繊維発生型多成分系繊維中の一成分を除去して繊維を極細化する方法が一般に用いられている。
上記方法は繊維として短繊維を用いるものであるが、短繊維に替えて長繊維を用いた場合に、短繊維からなる不織布の場合と比べて、その製造方法として原綿供給装置、開繊装置、カード機、クロスレイ機などの一連の大型設備を必要とせず、また長繊維からなることから強度も短繊維不織布に比べて高いという利点がある。
【０００３】
極細長繊維不織布の製造方法としては、相溶性のない２以上のポリマーからなる極細繊維発生型多成分系長繊維不織布を構成する該多成分系繊維を長さ方向に分割処理して該ポリマーの界面で剥離させて極細化する方法が主として適用される。しかし、この場合、剥離分割する方法での繊維の均一な分割には限界があり、スエード調人工皮革に適用できるような極細繊維を得ることは困難である。一方、１成分のみからなる極細長繊維不織布を得るには、相溶性のない２以上のポリマーからなる極細繊維発生型多成分系長繊維不織布から一方のポリマーを除去しなければならず、そのためには化学薬品を使用せざるを得なかった。例えば、ポリエステルを除去する場合には、薬品として苛性ソーダなどが用いられ、ポリアミドの場合にはギ酸などが用いられ、またポリスチレンの場合はトリクロロエチレンやトルエンなどが用いられる。
しかしながら、このような方法では、化学薬品の取り扱いの危険性や環境汚染などの面から特殊な抽出除去設備が必要となり、作業者の安全衛生面や製造コストの点で十分満足できるものではなかった。また、除去処理により、除去する成分とは別の成分が好ましくない影響を受けるため、極細繊維発生型多成分系繊維を構成する成分の組合せが限定されたり、除去すべき成分が十分除去できないままで使用せざるを得ず、満足できる品質の不織布および人工皮革が得られない場合があった。
【０００４】
一方、ポリビニルアルコール（以下、ＰＶＡと略記することがある）は水溶性のポリマーであって、その基本骨格と分子構造、形態、各種変性により水溶性の程度を変えることができ、更に溶融紡糸性を付与することが可能であることが知られている。また、ＰＶＡは生分解性であることも確認されている。これらのことから、地球環境的に、合成物を自然界といかに調和させるかが大きな課題となっている現在、このような基本性能を有するＰＶＡおよびＰＶＡ系繊維は多いに注目されている。
【０００５】
長繊維を皮革用基材の不織布基体として利用する試みはこれまでにもなされているが、実際に上市されている製品は０．５デシテックス以上のレギュラー太さを有するファイバーを銀付調人工皮革の基体として用いている程度であり、極細長繊維使いの人工皮革は未だ上市されていない。これは、安定した目付の長繊維絡合不織布を得ることの困難さ、極細繊維発生型多成分系繊維製造の取り扱い性、極細繊維発生型多成分系長繊維のムラや歪に起因する製品ムラなどが原因と推察される。実際、短繊維を使用した場合と同じ製法を極細長繊維不織布に適用した場合には、極細繊維化工程、染色工程等において、シートにシワ欠点を生じ、安定した製品の製造は困難である。
【０００６】
このようなムラを解消する方法として、長繊維を部分的に切断し部分的にひずみを解消する方法（例えば、特許文献１参照。）が提案されているが、このような方法では、長繊維の利点である繊維が連続していることによる強力物性への寄与を低下させ、長繊維の特徴を充分に生かすことができない。また、織編物等の補強布を導入し、繊維の形態変化を抑制する方法（例えば、特許文献２参照。）も提案されているが、単に補強布を導入するだけでは、摩擦等に対する繊維の脱落の防止効果には有効であっても、繊維のひずみ緩和に抗しきれず、シワ欠点を生じてしまう場合がある。また、上記のいずれの方法においても、化学薬品などを用いることなく水で処理することを前提として、水系エマルジョンバインダー樹脂を含浸、凝固して皮革様シート基体を得る方法において、良好な折り曲げ皺を得るためには、多量の樹脂を添加することが必要であり、その結果、天然皮革様の腰のあるやわらかさを得ることが困難となる。
【０００７】
また、水溶性熱可塑性ポリビニルアルコールと熱可塑性ポリマーを溶融紡糸して得られる方法による極細繊維発生型多成分系長繊維不織布を、化学薬品などを用いることなく、単なる水で処理することにより得られる極細長繊維不織布の内部に、弾性重合体を含浸して皮革様シート基体を得る方法（例えば、特許文献３参照。）が提案されているが、化学薬品などを用いることなく水で処理して皮革様シート基体を得ることを前提として、水系エマルジョンバインダー樹脂を含浸、凝固して皮革様シート基体を得ようとすると、バインダー樹脂が極細繊維に接着することによる風合いの硬化が起こりやすく、かつ、良好な折り曲げ皺を得るためには、多量の樹脂を添加することが必要であり、その結果、良好な折り曲げ皺と天然皮革様の腰の有るやわらかさを両立することが困難である。
【０００８】
一方、水溶性樹脂を一成分とする極細繊維発生型多成分系繊維からなる不織布を人工皮革用基体として使用する場合においては、使用する高分子弾性体量を低減して柔軟性を付与する為に不織布は収縮処理され緻密化されていることが必要である。しかしながら、不織布に高分子弾性体を含浸した後においては不織布の収縮は発現不可能であり、収縮処理は不織布の段階で実施することが必要である。しかしながら、通常の水中にて収縮処理する方法を用いた場合には、水溶性樹脂が溶け出して極細化した繊維となるので、これと含浸した高分子弾性体が接着し風合いが硬化してしまう。そのため、水溶性樹脂は高分子弾性体を含浸・凝固させる時点まで繊維中に残っていることが必要である。
そこで、本出願人は、水溶性熱可塑性ポリビニルアルコール系樹脂を一成分とする極細繊維発生型多成分系繊維からなる緻密化絡合不織布の製造方法として、繊維を絡合処理して得られる絡合不織布に、水溶性樹脂成分の５質量％以上の水を付与して、相対湿度７５％以上の雰囲気下で熱処理して該不織布の面積収縮率が１５％以上となるように収縮させることを特徴とする製造方法を提案した（特許文献４）。
【先行技術文献】
【特許文献】
【０００９】
【特許文献１】特開２０００−２７３７６９号公報
【特許文献２】特開昭６４−２０３６８号公報
【特許文献３】特開２００３−３２８２７６号公報
【特許文献４】特開２００６−２３３３９３号公報
【発明の概要】
【発明が解決しようとする課題】
【００１０】
しかしながら、特許文献４に記載の緻密な絡合不織布の製造方法においても、幅方向に一律に同量の水を付与した場合、端部が中央部より収縮率が高くなり、収縮後、端部の重量が中央部より高くなり幅方向で均一な重量にならない、すなわち、幅方向に目付ムラが存在するという問題が認められた。
本発明は、幅方向の目付ムラが少ない緻密化絡合不織布に由来する人工皮革用基材、及びその製造方法を提供することを目的とする。
【課題を解決するための手段】
【００１１】
本発明者らは鋭意研究を重ねた結果、絡合不織布の幅方向において中央部より端部に付与する水の量を少なくなるように水を付与させた後、熱処理をして収縮させることによって、幅方向の目付ムラＲの少ない人工皮革用基材とできることを見出し、本発明を完成した。
【００１２】
すなわち、本発明は以下の（１）〜（８）を提供する。
（１）水溶性熱可塑性ポリビニルアルコール系樹脂を一成分とする極細繊維発生型多成分系繊維からなる緻密化絡合不織布に、水系エマルジョンバインダー樹脂を含浸し、凝固した後に該水溶性熱可塑性ポリビニルアルコール系樹脂を抽出除去した人工皮革用基材であって、
該緻密化絡合不織布は、下記式で表される幅方向の目付ムラＲが５％以下である人工皮革用基材。
目付ムラＲ（％）＝〔最大目付（ｇ／ｍ2）−最小目付（ｇ／ｍ2）〕×１００／平均目付（ｇ／ｍ2）
（式中最大目付とは、緻密化絡合不織布の幅方向に５ｃｍ間隔で長さ５０ｃｍのサンプルを採取し、目付を求めたときの最大値であり、最小目付とは同様に目付を求めたときの最小値であり、平均目付とは全サンプルの平均値である。）
（２）下記の工程（ａ）〜（ｅ）：
（ａ）水溶性熱可塑性ポリビニルアルコール系樹脂を一成分とする極細繊維発生型多成分系繊維を繊維ウェブにする工程、
（ｂ）前記繊維ウェブを絡合処理して絡合不織布を得る工程、
（ｃ）前記絡合不織布を、両端から全幅の長さに対して５〜２０％の割合であってそれぞれが同一の幅である端部（Ａ）および端部（Ａ'）、残余の部分を中央部（Ｂ）として、Ａ／Ｂ／Ａ'の３つに区分し、
水溶性熱可塑性ポリビニルアルコール系樹脂成分の５質量％以上の水を、
前記両端部と前記中央部に付与する水の質量割合が端部（Ａ）／中央部（Ｂ）／端部（Ａ’）で２０〜３０／５０／２０〜３０、かつ端部（Ａ）／端部（Ａ’）＝１／１となるように付与し、
相対湿度７５％以上の雰囲気下で、熱処理して該不織布の面積収縮率が１５％以上となるように収縮させて、密度が０．３４ｇ／ｃｍ3以上の緻密化絡合不織布を得る工程、
（ｄ）前記緻密化絡合不織布に水系エマルジョンバインダー樹脂を含浸付与し、次いで、水系エマルジョンバインダー樹脂を凝固させて水系エマルジョンバインダー樹脂含浸不織布を得る工程、および
（ｅ）前記水系エマルジョンバインダー樹脂含浸不織布を構成する極細繊維発生型多成分系繊維から水溶性樹脂成分を水または水溶液により抽出除去し、極細繊維発生型多成分系繊維を極細繊維束に変成させる工程、
または、下記の工程（ａ）〜（ｂ）、（ｆ）および（ｄ）〜（ｅ）：
（ａ）水溶性熱可塑性ポリビニルアルコール系樹脂を一成分とする極細繊維発生型多成分系繊維を繊維ウェブにする工程、
（ｂ）前記繊維ウェブを絡合処理して絡合不織布を得る工程、
（ｆ）前記絡合不織布を幅方向に両側の端部（Ｃ）、端部（Ｃ'）、両側の中間部（Ｄ）、中間部（Ｄ'）及び中央部（Ｅ）が、それぞれＣ／Ｄ／Ｅ／Ｄ'／Ｃ'となるように５つに区分して、
中央部（Ｅ）の幅を全幅の３０〜５０％、各端部（Ｃ、Ｃ'）の幅を全幅の５〜１５％、各中間部（Ｄ、Ｄ'）の幅を全幅の１０〜３０％とし、かつ、各端部（Ｃ、Ｃ'）同士および各中間部（Ｄ、Ｄ'）同士はそれぞれ同一の幅に区分し、かつ、各端部（Ｃ、Ｃ'）同士および各中間部（Ｄ、Ｄ'）同士はそれぞれ同一の幅に区分し、
水溶性熱可塑性ポリビニルアルコール系樹脂成分の５質量％以上の水を、
端部（Ｃ）／中央部（Ｅ）及び端部（Ｃ'）／中央部（Ｅ）の質量割合が４０〜６０／１００となるように付与し、
中間部（Ｄ）／中央部（Ｅ）及び中間部（Ｄ'）／中央部（Ｅ）の質量割合が７０〜９０／１００となり、かつ端部（Ｃ）／端部（Ｃ'）の質量割合及び中間部（Ｄ）／中間部（Ｄ'）の質量割合がそれぞれ１／１となるように付与し、
相対湿度７５％以上の雰囲気下で、熱処理して該不織布の面積収縮率が１５％以上となるように収縮させて、密度が０．３４ｇ／ｃｍ3以上の緻密化絡合不織布を得る工程、
（ｄ）前記緻密化絡合不織布に水系エマルジョンバインダー樹脂の溶液を含浸付与し、次いで、水系エマルジョンバインダー樹脂を凝固させてバインダー樹脂含浸不織布を得る工程、および
（ｅ）前記水系エマルジョンバインダー樹脂含浸不織布を構成する極細繊維発生型多成分系繊維から水溶性熱可塑性ポリビニルアルコール系樹脂成分を水または水溶液により抽出除去し、極細繊維発生型多成分系繊維を極細繊維束に変成させて人工皮革用基材を得る工程、
を含む人工皮革用基材の製造方法。
（３）絡合不織布が長繊維不織布である前記（２）に記載の製造方法。
（４）前記（１）に記載の人工皮革用基材の表面に銀面層を形成して得られる銀付調人工皮革。
（５）前記（１）に記載の人工皮革用基材の表面を起毛して得られるスエード調人工皮革。
【発明の効果】
【００１３】
本発明の人工皮革用基材は、幅方向の目付ムラが５％以下と小さいので、得られる人工皮革も幅方向での強度ムラや、染色ムラ、曲げ皺ムラ、触感などの品質的欠陥が生じることがなく、良好な折り曲げ皺と天然皮革様の腰のあるやわらかさを両立した幅方向に均一な品質の人工皮革を得ることができる。
また、本発明の人工皮革用基材の製造方法は、緻密化絡合処理工程で幅方向に区分して付与する水分の量を調整することを特徴とするものなので、端部の収縮を抑制するための端部把持手段や特別の装置等を必要とせず、比較的簡易な装置で達成できる人工皮革用基材の製造方法を提供できる。
さらに、本発明の人工皮革用基材及びその製造方法では、水溶性熱可塑性ポリビニルアルコール系樹脂を一成分とする極細繊維発生型多成分系繊維からなる緻密な絡合不織布を経て、該極細繊維発生型多成分系繊維不織布の内部に水系エマルジョンバインダー樹脂を含浸することで、化学薬品などを用いることなく水のみで処理する方法で得ることができる。また、化学薬品などを用いることなく、単なる水で処理することにより、人工皮革用基材を得ることができるため、環境対応型の人工皮革用基材を提供できる。
【発明を実施するための形態】
【００１４】
本発明を達成するための具体的な手段の例を次に述べる。
本発明において極細繊維発生型多成分系繊維は長繊維でも短繊維でもよいが、本発明の効果をより確実に得るためには長繊維を用いることが好ましい。長繊維とは、短繊維（繊維長１０〜５０ｍｍ）のように意図的に切断されていない繊維である。長繊維の繊維長は一概には特定できないが、本発明の効果を奏するためには、海島型長繊維の繊維長は、１００ｍｍ以上が好ましく、また、技術的に製造可能であって、かつ、物理的に切れない限りは、数ｍ、数百ｍ、数ｋｍ、あるいはそれ以上の繊維長であってもよい。
以下、極細繊維発生型多成分系繊維が長繊維である場合について述べる。
先ず、水溶性熱可塑性ポリビニルアルコール系樹脂（以下ＰＶＡと略することがある。）を一成分に用いた極細繊維化後の単糸繊度が０．０００３〜０．５デシテックスである極細繊維を形成することが可能な極細繊維発生型多成分系繊維からなるフィラメントを用いて長繊維ウェブを形成し、この長繊維ウェブを必要に応じてクロスラッピング等の手法により積層し、ニードルパンチング処理で代表される絡合処理を行って長繊維絡合不織布とする。
【００１５】
次いで、ニードルパンチ等の絡合処理後の長繊維不織布を収縮処理して不織布を緻密化する必要がある。本発明では、長繊維不織布に、該水溶性熱可塑性ポリビニルアルコール系樹脂（ＰＶＡ）成分の５質量％以上の水を付与して、相対湿度７５％以上の雰囲気下で、熱処理する方法が用いられる。好ましくは、長繊維不織布に該ＰＶＡ成分の１０質量％以上の水を付与して、相対湿度９０％以上の雰囲気下で行う場合である。そして、収縮処理温度として、雰囲気温度６０℃以上の条件下において収縮させることが設備上の管理が容易であり、長繊維不織布に高収縮を付与できるという点において好ましい。この際、長繊維不織布への水分付与量が５質量％未満である場合には、極細繊維発生型多成分系繊維の水溶性樹脂成分の可塑化が不十分となり、フィラメントの収縮を妨げる傾向となるため、充分な収縮率が得られない。また、相対湿度が７５％未満の場合には、付与した水分が速やかに乾燥するために該水溶性樹脂が硬化し、これまた充分な収縮が得られない。また付与する水の上限値に関しては特に限定はないが、溶け出したＰＶＡが工程を汚染することを防止することや、乾燥効率のため、一般的には該ＰＶＡ成分の５０質量％以下である。なお、本発明でいう水の付与量は、不織布を標準状態（２３℃、６５％ＲＨ）の状態に放置した後の不織布質量を基準とした値である。
なお、ＰＶＡ成分の５質量％以上の水を付与する水の付与量についての計算方法は、予め絡合不織布の目付と該絡合不織布を構成する極細繊維発生型多成分系繊維に占めるＰＶＡ成分から容易に計算可能であり、この計算方法に従って必要な水分の付与を行う。
【００１６】
水の付与方法としては、幅方向の目付を均一化して目付ムラＲを５％以下とするため、好ましくは緻密化絡合不織布において、少なくとも全幅の５〜２０％の幅の両端部（Ａ、Ａ'）と残余の中央部（Ｂ）のＡ／Ｂ／Ａ'の３つに区分し、端部（Ａ）または端部（Ａ'）区分における目付〔端部（Ａ）および端部（Ａ'）の目付の平均値〕と残余の中央部（Ｂ）における目付〔中央部（Ｂ）の目付けの平均値〕の差を３％以内とするため、第１の態様として、前記絡合不織布を、少なくとも全幅の５〜２０％の幅の両端部（Ａ、Ａ'）と残余の中央部（Ｂ）のＡ／Ｂ／Ａ'の３つに区分し、水溶性熱可塑性ポリビニルアルコール系樹脂成分の５質量％以上の水を、両端部と中央部に付与する水の質量割合が両端部／中央部で４０〜６０／１００となるように付与する。具体的には、Ａ／Ｂ／Ａ'の３つに区分された部位に、上記の所定の割合で、水を絡合不織布上に散布する方法、水蒸気または霧状の水滴を絡合不織布に付与する方法、絡合不織布表面に水を塗布する方法などが挙げられるが、特に水蒸気または霧状の水滴を絡合不織布に付与する方法が好ましい。
【００１７】
なお、本発明において、区分としての両端部、両中間部、および中央部は、それぞれが幅方向に区分された長さを有するゾーンを意味し、端部（Ａ）或いは端部（Ｃ）と端部（Ａ'）或いは端部（Ｃ‘）は、絡合不織布の幅方向の中心〔中央部（Ｂ）又は（Ｅ）の中心でもある。〕を通る長手方向の中心線に対して線対象の位置にあり、各端部同士は同一の幅寸法であるものとし、対応する２つの端部を合わせて呼称する場合には、両端部（Ａ、Ａ'）、両端部（Ｃ、Ｃ'）又は、各端部（Ａ、Ａ'）、各部（Ｃ、Ｃ'）と呼称するものとする。
中間部（Ｄ）および中間部（Ｄ'）についても同様であり、これらは中央部（Ｅ）の中心を通る長手方向の中心線に対して線対象の位置にあり、各中間部同士は同一の幅寸法であるものとし、対応する２つの中間部を合わせて呼称する場合に、両端部（Ｃ、Ｃ'）、両中間部（Ｄ、Ｄ'）又は各端部（Ｃ、Ｃ'）、各中間部（Ｄ、Ｄ'）と呼称するものとする。
【００１８】
また、幅方向の目付を均一化して目付ムラＲを５％以下とするため、好ましくは緻密化絡合不織布において、少なくとも全幅の５〜２０％の幅の両端部（Ａ、Ａ'）と残余の中央部（Ｂ）のＡ／Ｂ／Ａ'の３つに区分し、端部（Ａ）または端部（Ａ'）区分における目付〔端部（Ａ）および端部（Ａ'）の目付の平均値〕と残余の中央部（Ｂ）における目付〔中央部（Ｂ）の目付けの平均値〕の差を３％以内とするため、本発明の水の付与方法の第２の態様では、前記絡合不織布を幅方向に両端部（Ｃ、Ｃ'）両中間部（Ｄ、Ｄ'）及び中央部（Ｅ）のＣ／Ｄ／Ｅ／Ｄ'／Ｃ'となるように５つに区分して、
中央部（Ｅ）の幅を全幅の３０〜５０％、各端部（Ｃ、Ｃ'）の幅を全幅の５〜１５％、各中間部（Ｄ、Ｄ'）の幅を全幅の１０〜３０％とし、
水溶性熱可塑性ポリビニルアルコール系樹脂成分の５質量％以上の水を、
端部（Ｃ）／中央部（Ｅ）及び端部（Ｃ'）／中央部（Ｅ）の質量割合が４０〜６０／１００となるように付与し、中間部（Ｄ）／中央部（Ｅ）及び中間部（Ｄ'）／中央部（Ｅ）の質量割合が７０〜９０／１００となるように付与し、かつ各端部（Ｃ、Ｃ'）同士および各中間部（Ｄ、Ｄ'）同士はそれぞれ同一の質量となるように付与する。この場合の付与する水の温度としては、ＰＶＡが実質的に溶解しない温度が採用される。
【００１９】
また、具体的な水の付与順序としては、絡合不織布に水を付与した後に相対湿度７５％以上の雰囲気で熱処理を行ってもよいし、熱処理の際に水分の付与を同時に行っても良い。収縮処理は、上記雰囲気中に絡合不織布にできる限り力のかからない状態で放置することにより達成される。収縮処理に要する時間としては、１〜５分が生産性の点で、さらに十分な収縮を付与できる点で好ましい。
【００２０】
さらに、少なくとも両端部と中央部に付与する水の質量を変更する方法としては、上記の第１及び第２の態様では、同一区分内は同一の質量を付与するように、区分毎にステップ状に変化させている。この場合は、例えば、幅方向の各区分毎に、区分の長さに対応したスプレーノズル等から、所定の噴霧量を供給すればよい。また、ステップ状ではなく、幅方向に連続的に水の付与量を変更させる方法として、例えば、幅方向に往復トラバースするスプレーノズルの速度を、両端部では中央部より速くすることが可能なスプレートラバース装置を採用すれば、両端部を中央部より少なく、幅方向の水分付着量を所定のプロフィルとして、幅方向の目付ムラを低減することもできる。
スプレートラバースの制御方法としては、例えば、制御手段によりＡＣサーボモータの回転数を制御して、ノズルの移動速度を、幅方向の中央部より両端部において速くする方法等を挙げることができる。
【００２１】
この際、収縮処理による面積収縮率が１５％以上となるように収縮させて、密度が０．３４ｇ／ｃｍ3以上の緻密化絡合不織布とすることが人工皮革基材として使用する上で好ましい。より好ましくは面積収縮率が３０％以上である。面積収縮率が１５％未満である場合には、得られる緻密化絡合不織布の見かけの密度が充分に高くならず、該不織布の形態保持が困難となるため、人工皮革用基材の製造工程の取り扱い上または工程通過性の点で不都合を生じるとともに、人工皮革用基材として充分な強度を得られず、また、形態保持性改良のためには、多量のバインダー樹脂が必要となり天然皮革様の腰の有るやわらかさを得ることが困難となる。さらに、面積収縮率が１５％未満の場合、長繊維に由来して不織布が有している不規則なシワや、表面に生じる大きな凹凸が収縮後にも残存した状態となり、改良のためには多量のバインダー樹脂が必要となり、風合いに悪影響をおよぼす。上記収縮方法によって複合繊維を構成するＰＶＡを残存させた状態で不織布の収縮を発現させ、高密度の複合繊維絡合不織布いわゆる緻密化絡合不織布が得られる。本発明では、高密度の複合繊維絡合不織布を用いることで、長繊維に由来する不規則なシワや、表面に生じる大きな凹凸を抑制して、良好な折り曲げ皺を得ると共に、少ないバインダー樹脂で不織布の形態を良好に保持することを可能とし、結果として天然皮革様の腰の有るやわらかさを得ることができる。収縮の程度の上限値としては、収縮発現時の均一性の点から面積収縮率で６０％程度である。
【００２２】
また、緻密化絡合不織布の平均見掛け密度は、例えば、島成分ポリマーがポリエチレンテレフタレート、海成分ポリマーが水溶性熱可塑性ポリビニルアルコールであれば、０．３４ｇ／ｃｍ3以上、好ましくは０．３４〜０．８５ｇ／ｃｍ3、より好ましくは０．４０〜０．６５ｇ／ｃｍ3である。なお、平均見掛け密度は、圧縮させるような荷重を掛けない方法、例えば電子顕微鏡等での断面観察による方法により求めることが出来る。緻密化絡合不織布の目付は５００〜２０００ｇ／ｍ2が好ましい。
【００２３】
このようにして得られる緻密化絡合不織布の幅方向の目付ムラＲは、５％以下でなければならない。目付ムラＲは、下記に式により求められる。
（式）；目付ムラＲ（％）＝〔最大目付（ｇ／ｍ2）−最小目付（ｇ／ｍ2）〕
×１００／平均目付（ｇ／ｍ2）
（式中、最大目付とは、緻密化絡合不織布の幅方向に５ｃｍ間隔で長さ５０ｃｍのサンプルを採取し、目付を求めたときの最大値であり、最小目付とは同様に目付を求めたときの最小値であり、平均目付とは全サンプルの平均値である。）
緻密化絡合不織布の幅方向の目付ムラＲは、幅方向に均質な人工皮革用基材を得るという観点から５％以下が好ましく、３％以下がより好ましい。
幅方向の目付ムラＲが５％以下であれば、人工皮革用基材から、幅方向の品質ムラの少ない人工皮革を得ることができる。
そして、好ましくは緻密化絡合不織布において、少なくとも全幅の５〜２０％の幅の両端部（Ａ、Ａ'）と残余の中央部（Ｂ）のＡ／Ｂ／Ａ'の３つに区分し、端部（Ａ）または端部（Ａ'）区分における目付〔端部（Ａ）および端部（Ａ'）の目付の平均値〕と残余の中央部（Ｂ）における目付〔中央部（Ｂ）の目付けの平均値〕の差が３％以内であれば、幅方向の品質ムラのより少ない人工皮革を得ることができる。
【００２４】
一般に、海島型長繊維不織布を用いて人工皮革用基材を製造する場合、海成分除去工程、染色工程等の高温における繊維の伸縮による動きを抑制することが難しく、人工皮革用基材全面に不規則なシワや、表面に凹凸を生じるケースが多いが、本発明方法を用いることにより、不規則なシワや表面凹凸の発生を軽減させることができるが、それでも不規則なシワや表面凹凸の発生が生じる場合には、本発明における残存したＰＶＡを可塑化あるいは融解した状態下において、公知の方法によりプレス等の処理を施すことで、表面の平滑化を行い、シワの低減および表面凹凸の改善を図ってもよい。
【００２５】
本発明の目的の一つである、化学薬品などを用いることなく水のみで処理する方法で人工皮革用基材を製造するために、最後に、水系エマルジョンバインダー樹脂の含浸、凝固処理を行い、熱水処理により極細繊維発生型多成分系繊維からなる長繊維の一成分であるＰＶＡを溶解除去し、極細繊維化処理を行い人工皮革用基材とする。ここで、従来の有機溶剤に溶解したバインダー樹脂を緻密化絡合不織布に含浸付与し、バインダー樹脂の非溶剤で処理して湿式凝固させる方法では、バインダー樹脂が連続した発泡状態を形成して、少量のバインダー樹脂で形態安定化と天然皮革様の風合いを付与することが可能であったが、本発明の好適な方法である、化学薬品を使用せずに水系エマルジョンバインダー樹脂を用いる場合においては、バインダー樹脂が連続した構造体となるには多量の樹脂が必要となり、結果として風合いの硬化を引き起こす傾向にある。そのため、本発明の緻密化のための収縮方法を適用しない場合、すなわち、一般的に行われている熱水中での収縮を実施して、収縮処理時に極細繊維発生型多成分系繊維からなる長繊維の一成分であるＰＶＡが脱落した状態で、水系エマルジョンバインダー樹脂を含浸、凝固して人工皮革用基材を得ようとする場合は、該バインダー樹脂と極細化された繊維とが接着した部位が硬化するため、良好な折り曲げ皺と天然皮革様の腰の有るやわらかさを両立し難い。しかしながら、本発明では、長繊維の一成分であるＰＶＡを残存させた状態で水系エマルジョンバインダー樹脂の含有処理するため、長繊維の一成分であるＰＶＡを溶解除去した後の人工皮革用基材においてバインダー樹脂と極細化処理された繊維の間に適度な空隙が形成され、極細繊維同士がフレキシブルに動くことが可能となるため、良好な折り曲げ皺と天然皮革様の腰の有るやわらかさを両立させた人工皮革用基材が得られるのである。しかも、本発明では、水系エマルジョンバインダー樹脂を含浸する緻密化絡合不織布は、既に収縮処理され緻密化されているため、付与するバインダー樹脂量を相対的に減らすことができる。
本発明において、付与する水系エマルジョンバインダー樹脂の量としては、ＰＶＡ抽出除去後の不織布の質量に対して、固形分換算で２〜４０質量％が好ましい。この範囲よりも少ない場合には極細繊維の固定が不十分となり、折れ曲げ皺、形態安定性および表面平滑性が不良となり、逆に多い場合には風合いの硬化が生じる。より好ましくは５〜２５質量％である。
【００２６】
このようにして得られた人工皮革用基材は、公知の方法により、表面を起毛処理し染色することによってスエード調人工皮革となる。また、かかる人工皮革用基材の表面に顔料を添加した仕上げ用の弾性重合体を塗布し、銀面被覆層を形成させることにより、あるいは表面を熱により溶融させて平滑面とすることにより銀付調人工皮革とすることも可能である。
【００２７】
本発明において、極細繊維発生型多成分系繊維からなる不織布を得るための極細繊維発生型多成分系繊維としては特に限定されず、チップブレンド（混合紡糸）方式や複合紡糸方式で代表される方法を用いて得られる海島型断面繊維、多層積層型断面繊維、放射型積層型断面繊維等から適宜選択可能であるが、水溶性熱可塑性ポリビニルアルコール系樹脂を海成分、非水溶性熱可塑性樹脂を島成分とする海島型断面極細繊維発生型多成分系繊維がニードルパンチ時の繊維損傷が少なく、かつ極細繊維の均一性の点で好ましい。非水溶性熱可塑性樹脂としては特に限定されないが、ポリエチレンテレフタレート（以下、ＰＥＴと称する。）、ポリトリメチレンテレフタレート、ポリブチレンテレフタレート（以下、ＰＢＴと称する。）、ポリエステルエラストマー等のポリエステル系、ナイロン６、ナイロン６６、ナイロン６１０、ナイロン１２、芳香族ポリアミド、ポリアミドエラストマー等のポリアミド系、ポリウレタン系、ポリオレフィン系などの繊維形成能を有する重合体が好適である。これらの中でもＰＥＴ、ＰＢＴ等のポリエステル系樹脂、特に変性ＰＥＴが熱処理により収縮を発現しやすく、加工した製品の風合及び実用性能の点から特に望ましい。そして、これら重合体は融点が１６０℃以上であることが好ましく、１６０℃未満の場合には、形態安定性が劣り、実用性の点から好ましくない。より好ましくは、融点１８０〜２５０℃の繊維形成性結晶性樹脂である。なお、本発明で融点は、示差走査熱量計（以下、ＤＳＣと称する。）を用いて、窒素中、昇温速度１０℃／分で３００℃まで昇温後、室温まで冷却し、再度昇温速度１０℃／分で３００℃まで昇温した場合の重合体の融点を示す吸熱ピークのピークトップの温度を採用している。なお、極細繊維を構成する樹脂には、染料、顔料等の着色剤、紫外線吸収剤、熱安定剤、消臭剤、防かび剤、各種安定剤が添加されていてもよい。
【００２８】
本発明では、極細繊維発生型多成分系繊維のマトリックス成分に水溶性熱可塑性ＰＶＡ系樹脂を用いるが、該樹脂の使用は、複合繊維の紡糸性、環境汚染、溶解除去の容易さ等を総合的に考慮して選定されたものである。すなわち、このようなＰＶＡ系樹脂を１成分に用いた複合繊維不織布を水によって可塑化した状態で熱処理することにより不織布の高密度化が可能になると共に、水系エマルジョンバインダー樹脂を付与した後に、水により溶解除去することで、極細繊維とバインダー樹脂の間に空隙が生じて、人工皮革の高密度化と柔軟性が同時に達成され、人工皮革のドレープ性や風合い等が天然皮革に酷似したものとなる。ＰＶＡ系樹脂溶解除去前の極細繊維発生型多成分系繊維中に占める質量比率としては５〜７０質量％が好ましい。より好ましくは１０〜６０質量％、特に好ましくは１５〜５０質量％である。極細繊維発生型多成分系繊維中のＰＶＡ系樹脂の比率が少なくなると、複合繊維の紡糸の安定性が低下すると共に、人工皮革とした場合の柔軟性が低下して好ましくなく、逆に比率が多くなると、絡合不織布を収縮の際に付与する水分量が多くなり余分な水分を乾燥させるため生産性が低下すると共に、人工皮革とした場合の形態を安定化するために多量のバインダー樹脂が必要になり好ましくない。水溶性熱可塑性ＰＶＡ系樹脂自身の好ましい態様については後述する。
【００２９】
本発明においては繊維および不織布の形態としては、前記したように極細繊維発生型多成分系長繊維よりなる長繊維不織布が好ましいが、このような長繊維不織布は、溶融紡糸と直結したいわゆるスパンボンド不織布の製造方法によって効率よく製造することができる。すなわち、水溶性熱可塑性ＰＶＡ系樹脂と非水溶性熱可塑性樹脂とをそれぞれ別の押し出し機で溶融混練し、溶融した樹脂流を、複合ノズルを経て紡糸ヘッドに導きノズル孔から吐出させ、この吐出複合繊維を冷却装置により冷却せしめた後、エアジェット・ノズル等の吸引装置を用いて目的の繊度となるように１０００〜６０００ｍ／分の複合繊維の引き取り速度に該当する速度で高速気流により牽引細化させ、移動式の捕集面の上に堆積させて必要に応じて部分圧着して長繊維ウェブを製造することができる。得られる極細繊維発生型多成分系繊維の繊度としては、１．０〜５．０デシテックスの範囲、長繊維ウェブの目付としては２０〜５００ｇ／ｍ2の範囲が工程取り扱い性の面から好ましい。また、極細繊維とした後の単繊維繊度が０．０００３〜０．５デシテックスの範囲となるように極細繊維発生型多成分系繊維の断面形状を設定することが好ましい。０．０００３デシテックス未満ではスエード調人工皮革とした際に染色性に難があるため好ましくなく、０．５デシテックスを越える場合には人工皮革とした際に柔軟性および外観品位の劣るものとなるため好ましくない。より好ましくは、０．２〜０．０１デシテックスの範囲である。
【００３０】
捕集面に堆積させた繊維ウェブを、場合によって複数枚重ね合わせ、ニードルパンチして不織布とするが、その際の油剤、ニードル形状、ニードル深度、パンチ数等の所謂ニードル条件については特に制限はなく、公知の方法から適宜選択することができる。例えばニードル形状は、バーブ数が多いほうが効率的であるが、針折れが生じない範囲で１〜９バーブの中から選ぶことができ、深度はニードル針のバーブが不織布裏面まで貫通するような条件でかつニードルマークが強くでない範囲で設定することができる。また、ニードルパンチ後の不織布の見掛け密度は０．１０ｇ／ｃｍ3以上であることが好ましい。ニードルパンチ後の不織布の見掛け密度が０．１０ｇ／ｃｍ3未満の場合には、不織布を熱処理して得られる面積収縮率を１５％より大きくする必要が生じ、均一で緻密な構造の不織布することが困難となる。より好ましくは、見掛け密度０．１３〜０．２０ｇ／ｃｍ3の範囲である。なお、不織布の見掛け密度は、１ｃｍ2あたり０．７ｇの荷重をかけた状態で測定された厚み値を用いて算出する。
【００３１】
次に本発明の不織布に用いられるＰＶＡについて詳述する。本発明の不織布を構成する極細繊維発生型多成分系繊維に用いられるＰＶＡとしては、平均重合度（以下、単に重合度と略記する）が２００〜５００のものが好ましく、中でも２３０〜４７０の範囲のものが好ましく、２５０〜４５０のものが特に好ましい。重合度が２００未満の場合には溶融粘度が低すぎて、安定な複合化が得られにくい。重合度が５００を超えると溶融粘度が高すぎて、紡糸ノズルから樹脂を吐出することが困難となる。重合度５００以下のいわゆる低重合度ＰＶＡを用いることにより、熱水で溶解するときに溶解速度が速くなるという利点も有る。
【００３２】
ここで言うＰＶＡの平均重合度（Ｐ）は、ＪＩＳ−Ｋ６７２６に準じて測定された値である。すなわち、ＰＶＡを再ケン化し、精製した後、３０℃の水中で測定した極限粘度［η］から次式により求められるものである。
Ｐ＝（［η］１０3／８．２９）(1/0.62)
重合度が上記範囲にある時、本発明の目的がより好適に達せられる。
【００３３】
本発明に用いられるＰＶＡのケン化度は９０〜９９．９９モル％の範囲であることが好ましく、９３〜９９．９８モル％の範囲がより好ましく、９４〜９９．９７モル％の範囲がさらに好ましく、９６〜９９．９６モル％の範囲が特に好ましい。ケン化度が９０モル％未満の場合には、ＰＶＡの熱安定性が悪く、熱分解やゲル化によって満足な溶融紡糸を行うことができないのみならず、生分解性が低下し、更に後述する共重合モノマーの種類によってはＰＶＡの水溶性が低下し、本発明の複合繊維を得ることができない場合がある。一方、ケン化度が９９．９９モル％よりも大きいＰＶＡは安定に製造することが困難である。
【００３４】
本発明で使用されるＰＶＡは生分解性を有しており、活性汚泥処理あるいは土壌に埋めておくと分解されて水と二酸化炭素になる。ＰＶＡを溶解した後のＰＶＡ含有廃液の処理には活性汚泥法が好ましい。該ＰＶＡ水溶液を活性汚泥で連続処理すると２日間から１ヶ月の間で分解される。また、本発明に用いるＰＶＡは燃焼熱が低く、焼却炉に対する負荷が小さいので、ＰＶＡを溶解した排水を乾燥させてＰＶＡを焼却処理してもよい。
【００３５】
本発明に用いられるＰＶＡの融点（Ｔｍ）は、１６０〜２３０℃が好ましく、１７０〜２２７℃がより好ましく、１７５〜２２４℃が特に好ましく、１８０〜２２０℃がとりわけ好ましい。融点が１６０℃未満の場合にはＰＶＡの結晶性が低下し繊維強度が低くなると同時に、ＰＶＡの熱安定性が悪くなり、繊維化できない場合がある。一方、融点が２３０℃を超えると、溶融紡糸温度が高くなり紡糸温度とＰＶＡの分解温度が近づくためにＰＶＡ繊維を安定に製造することができない。
【００３６】
ＰＶＡの融点は、ＤＳＣを用いて、窒素中、昇温速度１０℃／分で３００℃まで昇温後、室温まで冷却し、再度昇温速度１０℃／分で３００℃まで昇温した場合のＰＶＡの融点を示す吸熱ピークのピークトップの温度を意味する。
【００３７】
本発明に用いられるＰＶＡは、ビニルエステル単位を主体として有する樹脂をケン化することにより得られる。ビニルエステル単位を形成するためのビニル化合物単量体としては、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニルおよびバーサティック酸ビニル等が挙げられ、これらの中でもＰＶＡを容易に得る点からは酢酸ビニルが好ましい。
【００３８】
本発明で使用されるＰＶＡは、ホモポリマーであっても共重合単位を導入した変性ＰＶＡであってもよいが、溶融紡糸性、水溶性、繊維物性の観点からは、共重合単位を導入した変性ＰＶＡを用いることが好ましい。共重合単量体の種類としては、共重合性、溶融紡糸性および繊維の水溶性の観点から、エチレン、プロピレン、１−ブテン、イソブテン等の炭素数４以下のα−オレフィン類、メチルビニルエーテル、エチルビニルエーテル、ｎ−プロピルビニルエーテル、ｉ−プロピルビニルエーテル、ｎ−ブチルビニルエーテル等のビニルエーテル類が好ましい。炭素数４以下のα−オレフィン類および／またはビニルエーテル類に由来する単位は、ＰＶＡ中にＰＶＡ構成単位の１〜２０モル％存在していることが好ましく、さらに４〜１５モル％が好ましく、６〜１３モル％が特に好ましい。さらに、α−オレフィンがエチレンである場合には、繊維物性が高くなることから、特にエチレン単位が４〜１５モル％、より好ましくは６〜１３モル％導入された変性ＰＶＡを使用する場合である。
【００３９】
本発明で使用されるＰＶＡは、塊状重合法、溶液重合法、懸濁重合法、乳化重合法などの公知の方法が挙げられる。その中でも、無溶媒あるいはアルコールなどの溶媒中で重合する塊状重合法や溶液重合法が通常採用される。溶液重合時に溶媒として使用されるアルコールとしては、メチルアルコール、エチルアルコール、プロピルアルコールなどの低級アルコールが挙げられる。共重合に使用される開始剤としては、ａ、ａ'−アゾビスイソブチロニトリル、２，２'−アゾビス（２，４−ジメチル−バレロニトリル）、過酸化ベンゾイル、ｎ−プロピルパーオキシカーボネートなどのアゾ系開始剤または過酸化物系開始剤などの公知の開始剤が挙げられる。重合温度については特に制限はないが、０℃〜１５０℃の範囲が適当である。
【００４０】
以上の方法により得られた緻密化絡合不織布に、人工皮革用基材の表面平滑性を向上するために、必要に応じてカレンダーロールによる面平滑化を施し、そして、内部に水系エマルジョンバインダー樹脂を含浸、凝固する工程、水溶性熱可塑性ポリビニルアルコール系樹脂を熱水で抽出除去することにより極細繊維発生型多成分系繊維を極細化する工程を経て人工皮革用基材を製造することができる。ここで、含浸する水系エマルジョンバインダー樹脂溶液には感熱ゲル化処理または増粘処理を施すことにより凝固、乾燥時のマイグレーションを抑制することが人工皮革の風合いの点から好ましい。
含浸する水系エマルジョンバインダー樹脂を構成する樹脂としては、例えば、ポリ塩化ビニル、ポリアミド、ポリエステル、ポリエステルエーテルコポリマー、ポリアクリル酸エステルコポリマー、ポリウレタン、ネオプレン、スチレンブタジエンコポリマー、シリコーン樹脂、ポリアミノ酸、ポリアミノ酸ポリウレタンコポリマーなどの合成樹脂または天然高分子樹脂、またはそれらの混合物等を挙げることができ、さらに必要によっては顔料、染料、架橋剤、充填剤、可塑剤、各種安定剤などを添加してもよい。なかでも、ポリウレタンあるいはこれに他の樹脂を加えたものは、柔軟な風合いが得られるので、高分子弾性体として好ましく用いられる。水系エマルジョンバインダー樹脂液中の樹脂濃度としては３〜４０質量％が好ましい。
エマルジョンを含浸、凝固、乾燥させた後の不織布から、同不織布を構成している極細繊維発生型多成分系繊維のＰＶＡ成分を抽出除去する。抽出除去する方法としては、液流染色機、ジッガー等の染色機や、オープンソーパー等の精練加工機を用いることができるが特にこれらに限定される物ではない。用いられる抽出浴の水温としては、８０〜９５℃が好ましく、また好ましい操作方法として、該不織布を抽出浴に浸漬したのち、絞液する操作を複数回繰り返すことにより、ＰＶＡ成分の大半ないし全部を抽出除去する。なお、この際に、不織布は水温により収縮を生じることがあり、それにより一層の緻密感および充実感が得られる場合もある。
【００４１】
このようにして得られた人工皮革用基材は、その表面を毛羽立て、さらに必要により柔軟化処理、染色処理することによりスエード調の人工皮革とすることができる。毛羽立てる方法としてはサンドペーパーや針布等を用いたバフがけを用いることができる。また、公知の方法により所望の条件にて、表面被覆層用の樹脂を塗布し、更にエンボス加工、柔軟化処理、染色などの処理を行うことにより、また表面を加熱溶融させて表面を平滑化することにより、銀付き調、または半銀付き調の人工皮革とすることもできる。これらの人工皮革は、シワが無く、天然皮革様の充実感、長繊維由来のドレープ性を有しており、衣料用、靴用、手袋用、鞄用、野球用グローブ用、ベルト用、ボール用またはソファー等のインテリア用といった製品用途の素材として好適なものである。
【実施例】
【００４２】
以下実施例により、本発明を説明するが、本発明はこれら実施例に限定されるものではない。
なお、繊維の平均繊度は、繊維形成に使用した樹脂の密度と走査型電子顕微鏡を用いて数百倍〜数千倍程度の倍率にて観察される、人工皮革用基材を構成する繊維の断面の面積とから計算されたものである。また、実施例中で記載される部および％は、特にことわりのない限り質量に関するものである。
樹脂の融点は、ＤＳＣ（ＴＡ３０００、メトラー社製）測定器を用いて、窒素中、昇温速度１０℃／分で３００℃まで昇温後、室温まで冷却し、再度昇温速度１０℃／分で３００℃まで昇温した場合の樹脂の融点を示す吸熱ピークのピークトップの温度を採用した。
【００４３】
製造例１
［水溶性熱可塑性ポリビニルアルコール系樹脂の製造］
攪拌機、窒素導入口、エチレン導入口および開始剤添加口を備えた１００Ｌ加圧反応槽に酢酸ビニル２９．０ｋｇおよびメタノール３１．０ｋｇを仕込み、６０℃に昇温した後３０分間窒素バブリングにより系中を窒素置換した。次いで反応槽圧力が５．９ｋｇ／ｃｍ2となるようにエチレンを導入仕込みした。開始剤として２，２'−アゾビス（４−メトキシ−２，４−ジメチルバレロニトリル）（以下、ＡＭＶと略すこともある。）をメタノールに溶解した濃度２．８ｇ／Ｌ溶液を調整し、窒素ガスによるバブリングを行って窒素置換した。上記の重合槽内温を６０℃に調整した後、上記の開始剤溶液１７０ｍｌを注入し重合を開始した。重合中はエチレンを導入して反応槽圧力を５．９ｋｇ／ｃｍに、重合温度を６０℃に維持し、上記の開始剤溶液を用いて６１０ｍｌ／ｈｒでＡＭＶを連続添加して重合を実施した。１０時間後に重合率が７０％となったところで冷却して重合を停止した。反応槽を開放して脱エチレンした後、窒素ガスをバブリングして脱エチレンを完全に行った。次いで減圧下に未反応酢酸ビニルモノマーを除去しポリ酢酸ビニルのメタノール溶液とした。得られた該ポリ酢酸ビニル溶液にメタノールを加えて濃度が５０％となるように調整したポリ酢酸ビニルのメタノール溶液２００ｇ（溶液中のポリ酢酸ビニル１００ｇ）に、４６．５ｇ（ポリ酢酸ビニルの酢酸ビニルユニットに対してモル比（ＭＲ）０．１０）のアルカリ溶液（ＮａＯＨの１０％メタノール溶液）を添加してケン化を行った。アルカリ添加後約２分で系がゲル化したものを粉砕器にて粉砕し、６０℃で１時間放置してケン化を進行させた後、酢酸メチル１０００ｇを加えて残存するアルカリを中和した。フェノールフタレイン指示薬を用いて中和の終了を確認後、濾別して得られた白色固体のＰＶＡにメタノール１０００ｇを加えて室温で３時間放置洗浄した。上記洗浄操作を３回繰り返した後、遠心脱液して得られたＰＶＡを乾燥機中７０℃で２日間放置して乾燥ＰＶＡを得た。
【００４４】
得られたエチレン変性ＰＶＡのケン化度は９８．４モル％であった。また該変性ＰＶＡを灰化させた後、酸に溶解したものを用いて原子吸光光度計により測定したナトリウムの含有量は、変性ＰＶＡ１００質量部に対して０．０３質量部であった。また、重合後未反応酢酸ビニルモノマーを除去して得られたポリ酢酸ビニルのメタノール溶液をｎ−ヘキサンに沈殿、アセトンで溶解する再沈精製を３回行った後、８０℃で３日間減圧乾燥を行って精製ポリ酢酸ビニルを得た。該ポリ酢酸ビニルをｄ６−ＤＭＳＯに溶解し、５００ＭＨｚプロトンＮＭＲ（ＪＥＯＬ ＧＸ−５００）を用いて８０℃で測定したところ、エチレンの含有量は１０モル％であった。上記のポリ酢酸ビニルのメタノール溶液をアルカリモル比０．５でケン化した後、粉砕したものを６０℃で５時間放置してケン化を進行させた後、メタノールソックスレーを３日間実施し、次いで８０℃で３日間減圧乾燥を行って精製されたエチレン変性ＰＶＡを得た。該ＰＶＡの平均重合度を常法のＪＩＳ Ｋ６７２６に準じて測定したところ３３０であった。該精製ＰＶＡの１，２−グリコール結合量および水酸基３連鎖の水酸基の含有量を５０００ＭＨｚプロトンＮＭＲ（ＪＥＯＬ ＧＸ−５００）装置による測定から前述のとおり求めたところ、それぞれ１．５０モル％および８３％であった。さらに該精製された変性ＰＶＡの５％水溶液を調整し厚み１０ミクロンのキャスト製フィルムを作成した。該フィルムを８０℃で１日間減圧乾燥を行った後に、ＤＳＣを用いて、前述の方法により融点を測定したところ２０６℃であった。
【００４５】
実施例１
上記水溶性熱可塑性ＰＶＡを海成分に用い、イソフタル酸変性度６モル％のポリエチレンテレフタレ−トを島成分とし、極細繊維発生型多成分系繊維１本あたりの島数が２５島となるような溶融複合紡糸用口金を用い、海成分／島成分の質量比３０／７０となるように２６０℃で口金より吐出した。紡速が３５００ｍ／ｍｉｎとなるようにエジェクター圧力を調整し、平均繊度２．０デシテックスの長繊維をネットで捕集し、３６ｇ／ｍ2の長繊維ウェブを得た。
【００４６】
上記長繊維ウェブ１８枚相当分をクロスラッピングにより重ね合わせ、針折れ防止油剤をスプレー付与した。次いで、針先端からバーブまでの距離が３ｍｍの６バーブの針を用い、針深度１０ｍｍから順次針深度を浅くして行き、両面から交互に３６００Ｐ／ｃｍ2のニードルパンチングをおこない、長繊維ウェブを絡合せしめ、幅２００ｃｍ、目付７７１ｇ／ｍ2の長繊維不織布を得た。このニードルパンチ処理による面積収縮率は１６％であり、ニードルパンチ処理後の長繊維絡合不織布の層間剥離強力は９ｋｇ／２．５ｃｍであった。
【００４７】
上記の幅２００ｃｍの長繊維絡合不織布に端から２０ｃｍ（端部Ｃ、Ｃ'）は、該ＰＶＡに対して１５質量％の量の水を付与し、端から２０〜６０ｃｍの範囲（中間部Ｄ、Ｄ'）は該ＰＶＡに対して２５質量％の量の水を付与し、残りの中央部分（中央部（Ｅ））には該ＰＶＡに対して３０質量％の量の水を付与して、水の付与量全体で該ＰＶＡに対して、２５質量％になるように付与した。
相対湿度９５％、７０℃の雰囲気下で、３分間熱処理して収縮を生じさせ、不織布の見かけの繊維密度を向上させた。この緻密化処理により幅は１５０ｃｍとなり、該不織布の幅方向５ｃｍ間隔（長さ方向５０ｃｍ）で測定した３０個のサンプルの目付の最大値が１４２０ｇ／ｍ2、最小値が１３８０ｇ／ｍ2、平均目付は１４００ｇ／ｍ2であり、平均目付値に対する幅方向目付の最大値―最小値の割合、すなわち目付ムラＲが２．９％であり、緻密化絡合不織布の端から２０ｃｍまでの両端部（Ａ、Ａ'）と残余の中央部（Ｂ）のＡ／Ｂ／Ａ'の３つに区分し、端からＡ部または端からＡ'部における目付（端からＡ部またはＡ'までの目付の平均値）と残りのＢ部における目付（Ａ、Ａ’を除く中央部の目付けの平均値）の差が１．６％の緻密化絡合不織布を得た。
【００４８】
次いで該緻密化絡合不織布を乾熱ロールプレスし、水系ポリウレタンエマルジョンとしてスーパーフレックスＥ−４８００（第一工業製薬株式会社製）を含浸付与し、１５０℃で乾燥およびキュアリングを施し、樹脂繊維比率Ｒ／Ｆ＝１８／８２の樹脂含有不織布シートを得た。ついで、９５℃の熱水中でＰＶＡを溶解除去し、極細繊維よりなる極細長繊維絡合シート（人工皮革用基材）を得た。該人工皮革用基材を構成する極細長繊維の単繊度は０．１デシテックスであった。得られた人工皮革用基材に、離型紙上で作成した厚さ５０μｍのポリウレタン皮膜を、二液型ウレタン系接着剤を用いて接着し、乾燥および架橋反応を十分に行った後、離型紙を剥ぎ取り銀付き調人工皮革を得た。得られた銀付き調人工皮革は、幅方向全体に渡って均一に良好な折り曲げ皺と天然皮革様の充実感を有する柔軟なシートであった。
【００４９】
比較例１
実施例１において、ニードルパンチ処理後の長繊維絡合不織布の幅方向に対し均一に該ＰＶＡに対して３０質量％の量の水を付与する以外は実施例１と同条件で緻密化不織布を得、更に該緻密化不織布より銀付き調人工皮革を得た。
得られた緻密化不織布の幅方向５ｃｍ間隔（長さ方向５０ｃｍ）で測定した目付の最大値は最端部で１４７０ｇ／ｍ2、最小値は中央部分で１３３０ｇ／ｍ2、平均目付は１４００ｇ／ｍ2、平均目付値に対する幅方向目付の最大値−最小値の割合、すなわち目付ムラＲが１０．０％であった。また得られた銀付き調人工皮革は、幅方向の中央部が柔軟で端になるほど風合いが硬く、幅方向に不均一な風合いを有するものであった。
【産業上の利用可能性】
【００５０】
本発明の人工皮革用基材は、水溶性熱可塑性ポリビニルアルコール系樹脂を一成分とする極細繊維発生型多成分系繊維からなる緻密化絡合不織布の目付ムラＲを５％以下としているので、幅方向全体に渡って均一に良好な折り曲げ皺と天然皮革様の充実感を有する柔軟な銀付き調人工皮革等の基材として有効に利用できる。
本発明の人工皮革用基材の製造方法は、人工皮革用基材に適した極細繊維発生型多成分系繊維からなる幅方向の目付ムラの少ない緻密絡合不織布を得て、該緻密化絡合不織布の内部に水系エマルジョンバインダー樹脂を含浸することで、化学薬品などを用いることなく水のみで処理する方法で人工皮革用基材を製造することができるため、環境対応型の人工皮革用基材の製造方法として利用できる。
本発明の銀付調、スエード調人工皮革の製造方法は、人工皮革用基材に最適な長繊維絡合不織布の幅方向の目付ムラを低減しつつ製造を安定化させ、品質を改善するための絡合不織布緻密化処理を経て、良好な折り曲げ皺と天然皮革様の腰の有るやわらかさを両有する銀付調又はスエード調人工皮革の製造方法として利用できる。
本発明により得られる銀付調又はスエード調人工皮革は、靴、ボール類、家具、乗物用座席、衣料、手袋、野球用グローブ、鞄、ベルトまたはバッグで代表される皮革製品に適用できる。